(57)【要約】      （修正有）【課題】各施設管理者の有するノウハウ保護に配慮しつつ、地域全体について効率的な植物管理を可能とする。【解決手段】複数の管理者によりそれぞれ管理される各区域に対する個別制御と、各区域の植物の生育状況データデータから望ましい生育状況と相関のある物理量を共通推奨値として求め、この共通推奨値に基づいて制御指令を各制御装置に提供し、各区域における物理量を制御する植物管理システム。【選択図】図２
2018038329.tif 000002
【特許請求の範囲】
【請求項１】
複数の管理者によりそれぞれ管理される複数の区域に対して少なくとも１つずつ設けられ、植物の生育に関係する物理量を検出する複数のセンサーと、
各区域における前記物理量を制御するための制御装置と、
前記複数のセンサーによる検出データを受け取るコンピュータサーバーとからなり、
このコンピュータサーバーは、
各区域における物理量の個別制御のために、各管理者により設定されたしきい値と検出データとの比較結果に基づき、各区域に設けられた前記制御装置に制御指令を提供し、
前記複数の区域を含む地域における物理量の共通制御のために、各センサーからの検出データおよび各区域の植物の生育状況データを記憶し、これらのデータから望ましい生育状況と相関のある物理量を共通推奨値として求め、この共通推奨値に基づいて制御指令を各制御装置に提供し、各区域における前記物理量を制御することを特徴とする植物管理システム。
【請求項２】
前記コンピュータサーバーとの間でデータを送受信し、各管理者により利用される管理端末を備え、
各区域における個別制御および／または地域についての共通制御は、各管理者による管理端末への同意入力に基づいて行われることを特徴とする請求項１記載の植物管理システム。
【請求項３】
前記管理される区域は、緑化施設であり、前記物理量は、土中水分量であり、前記制御装置は、潅水制御装置であって、
前記コンピュータサーバーは、複数の緑化施設の植物の健全性についての指標を生育状況データとして記憶し、緑化施設における植物の望ましい生育状況と相関のある土中水分量を地域における共通推奨値として求め、これに基づく制御指令を各制御装置に提供することを特徴とする請求項１または２記載の植物管理システム。
【請求項４】
前記管理される区域は、農業施設であり、前記物理量は、光量、温度、土中水分量の少なくとも１つであり、前記制御装置は、光量制御装置、温度制御装置、潅水制御装置の少なくとも１つであり、
前記コンピュータサーバーは、前記農業施設における農作物の価値についての指標を生育状況データとして記憶し、地域における農作物の望ましい生育状況と相関のある光量、温度、土中水分量の少なくとも１つを共通推奨値として求め、これに基づく制御指令を各制御装置に提供することを特徴とする請求項１または２記載の植物管理システム。
【発明の詳細な説明】
【技術分野】
【０００１】
本発明は、緑化施設、農業施設などにおいて環境に応じた植物の生育状況管理を行う植物管理システムに関する。
【背景技術】
【０００２】
従来、都市部の緑化のための植栽への潅水監視設備、ハウス栽培のための環境条件の監視設備が提案されている。潅水設備であれば、植栽の維持に必要な設定量の給水が行われているかどうかを検出して、その検出データを監視している。農業ハウスの場合、温度、湿度、光量など、農業生産物の生育にかかわる物理量をセンサーにより検出し、これら環境条件についてのデータを監視している。これら監視対象の施設が多数ある場合、またこれら多数の監視対象施設が地域に分散している場合、全体としての管理の負担が大きくなる。そこで、これら多数の監視対象の施設からのデータをインターネット上で利用可能とすることも考えられている。
【０００３】
特許文献１は、情報通信ネットワークを利用し、植物の生育状況を電子的に常時監視し、得られた情報に基づいて、収穫予想や異常状態を早期に電子的に把握する植物管理システムを開示する。
【０００４】
特許文献１に開示された技術は、収穫予想や異常状態を把握し、生育作業計画が情報として管理者に配信されるに過ぎない。
【０００５】
特許文献２は、明るさセンサー、照度センサー、水位センサー、土壌水分センサー、Ｅ Ｃ センサー、ｐＨセンサー、温度センサー、時刻を計時する時計、コンピュータで植物栽培環境条件を判定し、植物に水分と養分を自動的に供給する全自動植物栽培制御装置を開示する。
【０００６】
特許文献２に開示された技術は、ある特定の農業施設についての植物栽培制御を行うものに過ぎない。
【０００７】
【特許文献１】特開２００５−１３７２０９号公報
【特許文献２】特開２００５−１１７９９９号公報
【発明の開示】
【発明が解決しようとする課題】
【０００８】
従来技術によれば、管理すべき緑化施設または農業施設が複数ある場合であっても、各緑化施設、各農業施設について、その所有者または使用者が管理者であり、それぞれ独自に自己の施設についてのみデータを監視、または制御することになる。仮に、その地域全体に共通の事象が生じたとしても、その対策は個々に任されている。とくに、農業施設において、各農業従事者は、それぞれに独自の栽培ノウハウを有しており、これらノウハウを他の農業従事者に開示することはない。
【０００９】
このような状況に鑑みて、本発明は、各施設管理者の有するノウハウ保護に配慮しつつ、地域全体について効率的な管理が可能な植物管理システムを提供することを目的とする。
【課題を解決するための手段】
【００１０】
本発明による植物管理システムは、複数の管理者によりそれぞれ管理される複数の区域に対して少なくとも１つずつ設けられ、植物の生育に関係する物理量を検出する複数のセンサーと、各区域における物理量を制御するための制御装置と、複数のセンサーによる検出データを受け取るコンピュータサーバーとからなり、このコンピュータサーバーは、各区域における物理量の個別制御のために、各管理者により設定されたしきい値と検出データとの比較結果に基づき、各区域に設けられた制御装置に制御指令を提供し、複数の区域を含む地域における物理量の共通制御のために、各センサーからの検出データおよび各区域の植物の生育状況データを記憶し、これらのデータから望ましい生育状況と相関のある物理量を共通推奨値として求め、この共通推奨値に基づいて制御指令を各制御装置に提供し、各区域における物理量を制御することを特徴とする。
【００１１】
このような構成とすることにより、各管理者により設定されたしきい値による個別制御に加えて、個々の管理者のもつ植物管理ノウハウを必要以上に開示することなく、ビッグデータ活用による地域についての共通制御が可能となる。なお、必ずしも専用のコンピュータサーバーを設ける必要は無く、クラウドサービスによるコンピュータサーバーを活用することもできる。
【００１２】
本発明による植物管理システムは、コンピュータサーバーとの間でデータを送受信し、各管理者により利用される管理端末を備え、各区域における個別制御および／または地域における共通制御は、各管理者による管理端末への同意入力に基づいて行われるようにすることができる。
【００１３】
このような構成とすることにより、コンピュータサーバーからのデータによる自動制御を行うかどうかを各管理者が選択できるようになる。各管理者について、個別制御および共通制御を希望する場合、個別制御は希望するが、共通制御は希望しない場合、個別制御は希望しないが、共通制御は希望する場合、個別制御も共通制御も希望しない場合にも対応することができる。個別制御、共通制御について、管理者が同意していない場合であっても、コンピュータサーバーは、しきい値と検出データとの比較結果を管理端末に送信し、管理者が確認した上で、管理端末からの手動による遠隔制御を可能とし、共通推奨値を管理端末に送信し、管理者が確認した上で、管理端末からの手動による遠隔制御を可能とすることができる。このように、コンピュータサーバーは、各管理者に対するアドバイスを、各管理端末に送信することで、各管理者による制御に役立てることもできる。
【００１４】
本発明による植物管理システムを緑化施設に適用した場合、物理量は、土中水分量であり、制御装置は、潅水制御装置であって、コンピュータサーバーは、緑化施設の植物の健全性についての指標を生育状況データとして記憶し、緑化施設における植物の望ましい生育状況と相関のある土中水分量を地域における共通推奨値として求め、これに基づく制御指令を各制御装置に提供することを特徴とする。
【００１５】
このような構成とすることにより、コンピュータサーバーは、緑化施設の植物が、枯れそうである、適切な状態である、成長しすぎているなどの健全性についての指標を生育状況データとして記憶し、ビッグデータの活用による適切な生育のための共通制御が可能となる。
【００１６】
本発明による植物管理システムを農業施設に適用した場合、物理量は、光量、温度、土中水分量の少なくとも１つであり、制御装置は、光量制御装置、温度制御装置、潅水制御装置の少なくとも１つであり、コンピュータサーバーは、農業施設における農作物の価値についての指標を生育状況データとして記憶し、地域における農作物の望ましい生育状況と相関のある光量、温度、土中水分量の少なくとも１つを共通推奨値として求め、これに基づく制御指令を各制御装置に提供することを特徴とする。
【００１７】
このような構成とすることにより、コンピュータサーバーは、農業ハウスなどの農業施設で栽培される農作物の価値、たとえば品質、収量など管理者である農業者にとっての収入にかかわる指標を生育状況データとして記憶し、たとえばビッグデータの活用による適切な農作物栽培のための共通制御が可能となる。生育状況データは、農業者である各管理者により提供されるようにしてもよいが、地域のＪＡなどの農業団体が上位の管理者として生育状況データを提供することにより、各農業者の負担を軽減することができる。このような植物管理システムによれば、各農業者個々のノウハウを保護しつつ、地域全体での農作物の価値を高めることが可能となり、農業者の収入の向上、地域農作物のブランド化などに資することが期待される。
【発明の効果】
【００１８】
本発明によれば、各施設管理者の有するノウハウ保護に配慮しつつ、地域全体について効率的な植物生育管理が可能な植物管理システムを提供することができる。
【図面の簡単な説明】
【００１９】
【図１】本発明の一実施形態による植物管理システムの一区域についての構成を示す概略図である。
【図２】複数の区域を含む地域についての植物管理システムを示す概略構成図である。
【図３】図２中のコンピュータサーバにおけるデータベースの一例を示す構成図である。
【図４】本発明の他の一実施形態による植物管理システムを示す概略構成図である。
【発明を実施するための形態】
【００２０】
以下、図面を参照して、本発明の一実施形態による植物管理システムの構成を説明する。図１は、緑化施設の一区域の構成を示す。植物１０への給水管１１による給水、すなわち潅水制御は、電磁弁１２の開閉により行われる。植物１０の環境に関する物理量は、土中水分計１３、光センサー１４、温度センサー１５により測定され、ノード装置１６に入力される。潅水制御設備１７からの潅水の状態を監視するための流量計１８の測定値も、ノード装置１６に入力される。ノード装置１６は、これら測定されたデータを記憶する。
【００２１】
ノード装置１６と管理端末１９（たとえばスマートフォン、ＰＣタブレットまたはパーソナルコンピュータ）とは、Ｗｉ−Ｆｉなどによる無線通信ができるようになっており、ノード装置１６に記憶された測定データを管理端末１９のディスプレイに表示することができる。
【００２２】
図２は、複数の区域を含む植物管理システムの概略構成を示す。図２において、地域２０に複数の区域２１が含まれており、各区域２１は、各管理者によって管理される緑化施設である。各区域２１には、ノード装置１６、潅水制御設備１７、流量計１８が設けられている。複数のノード装置１６は、複数の管理端末１９とともに、インターネット２２に、たとえば３Ｇ，ＬＴＥ，Ｗｉ−Ｆｉなどの無線通信により接続されている。なお、ノード装置１６は、インターネット２２に有線で接続することもできる。
【００２３】
ノード装置１６の数は、緑化施設の区域の数に相当するが、必ずしも管理者の数に相当しない。一人の管理者が複数の区域を管理することがある。管理端末１９の数も、必ずしも管理者の数に相当しない。一人の管理者が複数の管理端末１９（たとえば、スマートフォン、タブレットＰＣおよびパーソナルコンピュータなど）を使用することがある。コンピュータサーバー２３が、インターネット２２に接続されており、必要なデータ記憶および演算処理を行う。ここでは、特定のコンピュータサーバー２３がネットワーク上にある例を示しているが、クラウドサービスを利用することも可能である。クラウドコンピューティングにおいては、コンピュータサーバー２３は、必ずしも特定のコンピュータに限定されることはなく、ネットワーク上の複数のコンピュータを利用して、その記憶、演算処理を行うことになる。本発明は、そのような場合にも適用される。
【００２４】
ノード装置１６は、そのサンプリングタイミングにより、各センサー（土中水分計１３、光センサー１４、温度センサー１５、流量計１８）からの測定データを収集し、記憶する。コンピュータサーバー２３は、たとえば所定のスケジュールにしたがって、各ノード装置１６に順次、データ送信リクエストを送り、各ノード装置１６から測定データを収集し、記憶する。このようにすることで、各ノード装置１６からのデータの衝突を確実に防ぐことができるので、過剰な通信回線の容量を必要としない。また、ノード装置１６に測定データを記憶することにしているので、通信異常が生じた場合にも、データが失われることはなく、通信が復旧したときに、コンピュータサーバー２３に測定データを送信することができる。
【００２５】
コンピュータサーバー２３は、緑化施設の各区域での植物の生育状況に関するデータも記憶する。各管理者が、管理端末１９から生育状況に関するデータを入力し、コンピュータサーバー２３に送信することができるが、複数の区域２１を含む地域２０を管理する上位管理者が、その管理端末１９から生育状況に関するデータを入力し、コンピュータサーバー２３に記憶させることもできる。
【００２６】
ここで、生育状況は、たとえば植物が枯れそうである、適度に維持されている、植物が成長しすぎているという状況を表す３種類のデータとして記憶される。なお、コンピュータサーバー２３は、インターネット２２に接続されているので、気象予報、気象現況などのデータにもアクセスすることができる。
【００２７】
ノード装置１６は、上述したように、各種センサーからの測定データを受信するための入力ポートを有し、さらに電磁弁１２へ開閉指令などの制御信号を提供するための出力ポートを有する。なお、このように１つのノード装置が測定データ受信および制御信号出力の双方を行うようにしてもよいが、センサーノードと制御ノードの２種類のノード装置を使用して、これらをそれぞれ無線通信でインターネット２２に接続するようにしても良い。
【００２８】
図３は、コンピュータサーバー２３におけるデータベース３０の一例を示す。図３において、管理者情報記憶部３１は、各管理者のＩＤ、メールアドレス、各管理者が自動による個別制御を希望するかどうか、共通制御を希望するかどうかなどについての情報を記憶する。個別情報記憶部３２は、各制御ノード装置１６からの測定データを記憶する。個別制御テーブル記憶部３３は、各区域に対する個別制御のためのデータテーブルを記憶する。
【００２９】
共通制御情報記憶部３４は、各制御ノード装置１６からの測定データ、これらに関連づけられた生育状況データ、その他インターネット経由で収集した気象データなどを記憶する。ビッグデータ記憶部３５は、共通制御情報記憶部３４に記憶されたデータに基づいて、ビッグデータ共通制御のために生成されたデータを記憶する。なお、コンピュータサーバー２３には、データベース３０のほかに、演算制御部３６、送受信部３７がある。なお、クラウドサービスを利用する場合は、データベース３０、演算制御部３６、送受信部３７は、必ずしも同じコンピュータサーバーにあるとは限らず、管理者情報記憶部３１、個別情報記憶部３２、個別制御テーブル記憶部３３、共通制御情報記憶部３４、ビッグデータ記憶部３５も同じコンピュータサーバーにあるとは限らない。また、これら記憶部が記憶装置において物理的に区切られているとは限らない、
【００３０】
このように構成された植物管理支援システムの作用を説明する。
１）個別通常制御
一般に、植物の成長は、光合成により、光と温度に依存する。光が強くても温度が低ければ植物は成長せず、温度が高くても光が弱ければ成長しない。光がある程度強く、温度がある程度高い場合に、植物は生長する。また、植物が生長するにしたがって、必要とする水の量も増える。すなわち、光の積算値および温度の積算値が増えることにより、多くの水を必要とする。コンピュータサーバー２３の個別制御テーブル記憶部３３に、各区域における潅水制御のためのテーブルを記憶しておく。このテーブルにより、たとえば、光の積算値および温度の積算値に対応して潅水量が決定される。テーブル中のデータは、季節ごとに異ならせることができる。なお、テーブル中のデータは、管理端末入力による管理者の手動による操作によっても修正することができ、またデータ蓄積による学習機能を持たせることができる。
【００３１】
管理端末の表示部により、管理者に、光、温度、これらの積算値、降水量、潅水量などのデータが提供される。管理者は、管理端末から指示を与えることにより、遠隔操作で給水開始できる。また、テーブルに土中水分のしきい値を設定しておき、土中水分計１４からの測定値との比較結果により、コンピュータサーバー２３からノード装置１６への制御指令に基づいて、自動で電磁弁１２に開閉指令を与えて、潅水制御設備１７より所定量の給水を行うことができる。
【００３２】
２）異常気象時の共通制御
コンピュータサーバー２３は、高温注意報などの異常気象予報、その他の気象データをインターネット経由で逐次収集し、共通制御情報記憶部３４に記憶しており、これにより全ての管理者の管理端末１８に、共通推奨値を送信する。また、管理者が共通制御を希望している場合、コンピュータサーバー２３からノード装置１６に制御指令が送られる。この制御指令は、コンピュータサーバー２３において、共通制御情報記憶部３４に記憶された測定データ、生育状況データと、気象データなどに基づいて決定される。ある区域について、その管理者が独自の制御を希望した場合、その区域は共通制御から除外される。
【００３３】
たとえば、土中水分が正常値、生育状況データが正常値、気象データとして高温注意報が出ている場合、ノード装置１６に、電磁弁１２を一定時間開状態として、緊急給水する。また、複数の区域２１のうち１つの区域の温度センサー１５で異常高温が測定された場合、この異常高温状態が他の区域にも伝播するものとして、他の区域のノード装置１６に給水のための制御指令を送り、自動で給水を行うことにより地域２０全体での植物への被害を防止することが可能となる。
【００３４】
３）ビッグデータによる共通制御
コンピュータサーバー２３は、生育状況データが望ましい値となる場合について、記憶された各センサーによる測定値から所定の分析アルゴリズムを使用して、その相関を求め、望ましい条件としてビッグデータ記憶部３５に記憶する。すなわち、コンピュータサーバー２３のデータベース３０に、ノウハウが蓄積されることになる。
【００３５】
なお、各管理者が設定したしきい値など、個別制御テーブル記憶制御部３３に記憶された制御テーブルの内容は、他の管理者に提供されることはなく、各管理者独自のノウハウ自体が、このシステムを介して他の管理者に知られることを防ぐことができる。コンピュータサーバー２３は、ビッグデータを利用し、各区域の実際の測定データに応答して、ノード装置１６を介して、電磁弁１２への開閉信号を与えることができるようになっている。
【００３６】
各管理者は、ビッグデータによる制御を希望するかどうかの指令を、希望する場合はＹ、希望しない場合はＮとしてその管理端末１９からコンピュータサーバー２３に送る。コンピュータサーバー２３は、この指令（ＹまたはＮ）を管理者情報記憶部３１に記憶する。
【００３７】
各管理者は、希望する旨の応答Ｙを送信することにより、ビックデータアドバイスおよび自動制御を受けることができる。ある管理者がビッグデータ解析のよる自動制御よりも、自己の経験による制御が優れていると考える場合などには、希望しない旨の応答Ｎを送信する。この場合にも、ビックデータによる共通推奨値を管理端末１９のディスプレイに表示されるアドバイスとして受信することができ、手動による制御の参考とすることができる。
【００３８】
４）通信異常時の制御
コンピュータサーバー２３がデータ送信リクエストをノード装置１６に送信した後所定時間内に、ノード装置１６からの測定データをコンピュータサーバー２３が受信しない場合、通信異常が発生したことを個別制御テーブル記憶部３３に記憶する。この通信異常の発生は、該当する管理者の管理端末１９に通知される。  通信異常が生じている間も、各センサーからの測定データは、ノード装置１６に記憶され、失われることはない。この記憶された測定データは、通信が回復した後、コンピュータサーバー２３に送信される。
【００３９】
上記の実施形態は、本発明を緑化施設に適用する例であるが、図４に示す農業ハウスなどの農業施設にも同様に適用することができる。
図４において、農業ハウス４０で農作物が栽培されており、ハウス内の光量、気温などを測定する光センサー１４、温度センサー１５などが設置されている。図示していないが、その他、農作物の生育に関係する物理量を測定するための湿度センサー、土中水分計なども設置される。
【００４０】
各センサーからの測定データは、ノード装置１６に記憶される。ノード装置１６は、３Ｇ、ＬＴＥなどの携帯電話回線、インターネット２２を介してコンピュータサーバー２３に接続される。ノード装置１６は、Wi-Fiルーター４１を介してインターネット２２に接続されるようにしてもよい。測定データは、ノード装置１６から、インターネット２２経由でコンピュータサーバー２３に送られるようになっている。コンピュータサーバー２３からの制御指令は、インターネット２２経由で、ノード装置１６に送られ、給水のための電磁弁１２、温度制御のための換気装置４２、遮光カーテンの巻き上げ機、窓開閉装置などがノード装置１６の出力ポートに接続されている。その他、散水装置に液肥混入機が設けられ、光合成促進のためのＣＯ2発生装置、ｐＨ測定センサーなども設けられる。
【００４１】
また、コンピュータサーバー２３からインターネット２２経由で、管理端末１９にデータを送信することにより、各管理者に農作物の生育環境に関係する物理量の測定データなど各種情報が提供される。管理者は、農業ハウス４０に行くことなく、屋外または自宅４３においても農作物の生育環境を把握することができ、必要に応じて管理端末１９への入力により電磁弁１２、換気装置４２などの遠隔手動操作ができるようになっている。
【００４２】
以下、農業ハウスに適用した場合の本発明による植物管理システムの作用を説明する。
１）個別通常制御
農業ハウス４０における農作物管理の場合、コンピュータサーバー２３に、各区域における温度、湿度などの制御のためのテーブルを記憶しておく。このテーブルは、季節ごと、農作物の種類などによって異ならせることができ、温度、湿度などの物理量についてのしきい値を記憶する。このテーブルのデータは、管理端末入力による管理者の手動による操作によっても修正することができ、またデータ蓄積による学習機能を持たせることができる。管理端末１９の表示部により、管理者に、光、温度、湿度、これらの積算値、潅水量などのデータが提供される。管理者は、管理端末１９から指示を与えることにより、手動で給水開始、遮光カーテンの巻き上げなどを遠隔操作することができる。
【００４３】
また、テーブルに土中水分量、温度、光量のしきい値を設定しておき、土中水分量、温度、光量の測定値との比較結果により、コンピュータサーバー２３からノード装置１６への制御指令に基づいて、自動で電磁バルブ１２に開指令を与えて、潅水制御設備より給水開始することができる。さらに、コンピュータサーバー２３からノード装置１６への制御指令に基づいて、自動で遮光カーテンの巻き上げ機、窓開閉装置などを操作することもできる。
【００４４】
２）異常気象時の共通制御
コンピュータサーバー２３は、高温注意報などの異常気象予報、その他の気象データをインターネット経由で逐次収集している。コンピュータサーバー２３は、記憶された測定データ、生育状況データと、気象データに基づいて共通推奨値を決定する。
【００４５】
共通制御を希望している場合、この共通推奨値に基づいて、コンピュータサーバー２３からノード装置１６に、制御指令が送られる。たとえば、土中水分が正常値、生育状況データが正常値、気象データとして高温注意報が出ている場合、ノード装置１６に、電磁弁１２を一定時間開状態として、緊急給水する。また、複数の区域のうち１つの区域の温度センサーで高温が測定された場合、この高温状態が他の区域にも伝播するものとして、他の区域のノード装置に給水のための制御指令を送り、自動で給水を行うことにより農作物への被害を防止することが可能となる。
【００４６】
また、コンピュータサーバー２３は、全ての管理者の管理端末１９に、共通推奨値を送信する。ある管理者が共通制御を希望していない場合にも、管理端末１９への入力により、電磁弁１２を遠隔操作することができる。
【００４７】
３）ビッグデータによる制御
コンピュータサーバー２３は、生育状況データが望ましい値となる場合について、記憶された各センサーによる測定値から所定の分析アルゴリズムを使用して、その相関を求め、共通推奨値として記憶する。すなわち、コンピュータサーバー２３に、ノウハウが蓄積されることになる。なお、この共通推奨値は、ビッグデータの利用により得られるものであって、各管理者が設定したしきい値などが他の管理者に直接的に提供されることはない。すなわち、各管理者は、自己の経験により獲得したノウハウ自体が、このシステムを介して他の管理者に知られることを防ぐことができる。コンピュータサーバー２３は、各区域の実際の測定データに応答して、各ノード装置１６を介して、各電磁弁１２への開閉指令を与える。
【００４８】
各管理者は、ビッグデータによる制御を希望するかどうかの指令を、希望する場合はＹ、希望しない場合はＮとしてその管理端末１９からコンピュータサーバー２３に送る。コンピュータサーバー２３は、この指令（ＹまたはＮ）を管理者情報記憶部３１に記憶する。
【００４９】
各管理者は、希望する旨の応答Yを送信することにより、ビックデータアドバイスおよび自動制御を受けることができる。ある管理者がビッグデータ解析のよる自動制御よりも、自己の経験による制御が優れていると考える場合などには、希望しない旨の応答Nを送信する。この場合にも、ビックデータによる共通推奨値を管理端末１９のディスプレイに表示されるアドバイスとして受信することができ、手動による制御の参考とすることができる。
【００５０】
本発明の一実施形態による植物管理システムでは、各施設管理者による個別制御の他に、複数の区域を含む地域全体に対する共通制御を提供可能であり、共通制御において、個々の施設管理者の有するノウハウ保護に配慮しつつ、地域全体について効率的な管理が可能となる。
【符号の説明】
【００５１】
１０    植物
１１    給水管
１２    電磁弁
１３    土中水分計
１４    光センサー
１５    温度センサー
１６    ノード装置
１７    潅水制御設備
１８    流量計
１９    管理端末
２０    地域
２１    区域
２２    インターネット
２３    コンピュータサーバー
３０    データベース
３１    管理者情報記憶部
３２    個別情報記憶部
３３    個別制御テーブル記憶部
３４    共通性制御情報記憶部
３５    ビッグデータ記憶部
３６    送受信部
３７    演算制御部
４０    農業ハウス
４１    ＷｉＦｉルーター
４２    換気装置
４３    自宅
【図１】
2018038329.tif 000003
【図２】
2018038329.tif 000004
【図３】
2018038329.tif 000005
【図４】
2018038329.tif 000006